(57)【要約】【課題】椅子背もたれ板の固定装置を提供すること。【解決手段】椅子の座面に沿って、後部の付近側に中空状の背もたれ板基礎フレームを形成し、背もたれ板基礎フレーム上方付近の両側は、それぞれに一致／または一致しない形状、かつ適度な弾性を有した背もたれ板の所定部位と方位制限を形成することができ、前述背もたれ板基礎フレーム所定高さの両側は、背もたれ板の呼応範囲と挟持を形成し、これにより、背もたれ板基礎フレームに組み付けられた背もたれ板は、使用のときに適度な弾性で凭れることができる。【選択図】図２
2017164115.tif 000002
【特許請求の範囲】
【請求項１】
椅子背もたれ板の固定装置であって、
前記椅子の座面に沿って、後部付近側に、中空状の背もたれ板基礎フレームを形成され、前記背もたれ板基礎フレーム上方付近の両側は、それぞれに一致／または一致しない適度な弾性を有する前記背もたれ板の所定部位に方位制限を形成することができ、前記背もたれ板基礎フレーム所定高さの両側は、前記背もたれ板に呼応した範囲と挟持を形成、これにより、前記背もたれ板基礎フレームに組み付けられた前記背もたれ板は、使用のときに適度な弾性で凭れることができることを特徴とする、椅子背もたれ板の固定装置。
【請求項２】
前記背もたれ板基礎フレームと前記背もたれ板との方位制限の手段は、前記背もたれ板基礎フレーム上方近くの両側は、対向して延設していて、所定のセクションを環状溝に伸ばす軸稈を凹設され、前記背もたれ板が後部層面の所定セクションに、切り口が下向きのかぎ部をこれに合わせて係着し、前記かぎ部は内側の所定範囲に環状突起部を凸設し、前記背もたれ板基礎フレームの前記軸稈が凹設する前記環状溝に切り込み、さらに、前記背もたれ板が前部の層面と前記かぎ部の呼応位置に空間を凹設し、前記空間は前記かぎ部から延設され、所定部位に少なくとも一つまたは以上のパイプセクションを凸設して、形態が一致した制限具がその一端に延設された当接フランジを前記背もたれ板の空間に沿って取り付け、前記当接フランジを前記背もたれ板基礎フレームが呼応した前記軸稈に凹設する前記環状溝に切り込み、さらに、締付け素子が前記制限具所定の層に沿って貫く孔部を適切に前記背もたれ板が呼応したパイプセクションに引き込み、前記背もたれ板所定セククションと、前記背もたれ板基礎フレームの上方近くの両側と確実な方位制限を維持することを特徴とする、椅子背もたれ板の固定装置。
【請求項３】
前記背もたれ板基礎フレームによって位置制限された前記背もたれ板が所定間隔／または非所定間隔に少なくとも一つまたはそれ以上くり貫き細長い溝を設けることによって、前記背もたれ板が凭れるときに、良い換気効果を達成できることを特徴とする、椅子背もたれ板の固定装置。
【発明の詳細な説明】
【技術分野】
【０００１】
本発明は椅子背もたれ板の固定装置に関する。主に椅子の背もたれ板が独立な形態に形成していて、背もたれ板基礎フレーム所定の両側に結合させることによって、背もたれ板基礎フレームに組み付けた背もたれ板が凭れるときに、適切な弾性を形成される。
【背景技術】
【０００２】
既存の椅子は、通常に使用者が腰掛けた後に背中部を快適な凭れを図るため、椅子３０の座面１０の後部付近側に固定形態の背もたれ２０（図１に示す）と結合するように設計されている。この種の椅子３０は使用の時に大腿部に心地良い安らぎ効果をもたらせるが、しかし、背もたれ２０にはヒトの背中部のプロファイルに合わせた適度な弾性を提供し、心地良く凭れることができない。よって、使用者は背中部により良く、快適に凭れることを図り、新たに適度なプロファイルを有した背もたれ板を購入して、椅子３０の背もたれ２０の所定の高さに取り付けなければならない。
【発明の概要】
【発明が解決しようとする課題】
【０００３】
この種の方法は、使用者が希望した背中部に快適な接触を達成できる。しかし、市販の背もたれは、必ずしも使用者の椅子の背もたれの幅と同じくないため、使用のときに一部が広すぎ／または狭すぎる状況を発生してしまう。発明人が本案において、この種の背中部に快適な接触を有する背もたれを新たに設計し、利用者が凭れるときに、より適した幅と快適な弾性を提供できる、椅子背もたれ板の固定装置を提供する。
【課題を解決するための手段】
【０００４】
本発明は、椅子の背もたれ板と結合して、使用するときに心地良い凭れを図るために改善されたものである。主に椅子の背もたれ板基礎フレーム上方近くの両側は、個別に形成していて、かつ適度な弾性を有する背もたれ板の呼応位置と方位制限することができ、前述背もたれ板基礎フレーム所定高さの両側は、前述背もたれ板の呼応範囲と挟持を形成して、背もたれ板基礎フレームに組み付けられた背もたれ板に凭れたときに、適度な弾性効果を与えられる。
【０００５】
本発明の主な目的は、使用のときに心地良い凭れを提供できる椅子背もたれ板の固定装置を提供する。椅子の座面に沿って、後部の付近側に中空状の背もたれ板基礎フレームを形成し、背もたれ板基礎フレーム上方付近の両側は、それぞれに一致／または一致しない形状、かつ適度な弾性を有した背もたれ板の所定部位と方位制限を形成することができ、前述背もたれ板基礎フレーム所定高さの両側は、背もたれ板の呼応範囲と挟持を形成し、これにより、背もたれ板基礎フレームに組み付けられた背もたれ板は、使用のときに適度な弾性で凭れることができる。
【０００６】
本発明の第２目的は、背もたれ板基礎フレームと背もたれ板との方位制限の手段は、背もたれ板基礎フレーム上方近くの両側は、対向して延設していて、所定のセクションを環状溝に伸ばす軸稈を凹設され、背もたれ板が後部層面の所定セクションに、切り口が下向きのかぎ部をこれに合わせて係着し、かぎ部は内側の所定範囲に環状突起部を凸設し、前述背もたれ板基礎フレームの軸稈が凹設する環状溝に切り込む、さらに、背もたれ板が前部の層面とかぎ部の呼応位置に空間を凹設し、係る空間はかぎ部から延設され、所定部位に少なくとも一つまたは以上のパイプセクションを凸設して、形態が一致した制限具がその一端に延設された当接フランジを前述背もたれ板の空間に沿って取り付け、係る当接フランジを背もたれ板基礎フレームが呼応した軸稈に凹設環状溝に切り込む、さらに、締付け素子が制限具所定の層に沿って貫く孔部を適切に背もたれ板が呼応したパイプセクションに引き込み、背もたれ板所定セククションと、背もたれ板基礎フレームの上方近くの両側と確実な方位制限を維持して置く。
【０００７】
本発明の第３目的は、背もたれ板基礎フレームによって位置制限された背もたれ板が所定間隔／または非所定間隔に少なくとも一つまたはそれ以上のくり貫き細長い溝を設けることによって、背もたれ板が凭れるときに、良い換気効果を達成できる。
【図面の簡単な説明】
【０００８】
【図１】公知技術による椅子の背もたれ板の形態を示す図である。
【図２】本発明による椅子の背もたれ板構成品の立体分解図である。
【図２Ａ】図２のＡ部位に示す拡大詳細図である。
【図２Ｂ】図２のＢ部位に示す拡大詳細図である。
【図２Ｃ】図２のＣ部位に示す拡大詳細図である。
【図３】本発明による椅子の背もたれ板を関連の構成品と組み付けた後の立体外観図である。
【図３Ａ】図３のＡ部位に示す断面詳細図である。
【図４】本発明による椅子と弾性背もたれ板を結合した前面を示す図である。
【図５】本発明による椅子と弾性背もたれ板を結合した側面を示す図である。
【発明を実施するための形態】
【実施例】
【０００９】
本発明の椅子背もたれ板の固定装置（図２に示す）は、使用のときに心地良い凭れを提供できる。その技術手段として、椅子５座面１に沿って、後部の付近側に中空状の背もたれ板基礎フレーム２を形成し、背もたれ板基礎フレーム２上方付近の両側は、それぞれに一致／または一致しない形状、かつ適度な弾性を有した背もたれ板の所定部位と方位制限を形成することができ、前述背もたれ板基礎フレーム２所定高さの両側は、背もたれ板３の呼応範囲と挟持を形成する。このうち、後者に言及された背もたれ板３が背もたれ板基礎フレーム２所定の高さの両側によって挟持されることは、本案で主張する手段ではなく、この部分は他案に出願されている。
【００１０】
前段に引き続き、背もたれ板基礎フレーム２と背もたれ板３との方位制限の技術手段は、背もたれ板基礎フレーム２上方近くの両側は、対向して延設していて、所定のセクションを環状溝２１１に伸ばす軸稈２１を凹設し（図２、図２Ａに示す）、背もたれ板３が後部層面の所定セクションに、切り口が下向きのかぎ部３１をこれに合わせて係着し、かぎ部３１は内側の所定範囲に環状突起部３１１を凸設して、前述背もたれ板基礎フレーム２の軸稈２１が凹設する環状溝２１１に切り込む、さらに、背もたれ板３が前部の層面とかぎ部３１の呼応位置に空間３２を凹設し（図２Ｂ）、係る空間３２はかぎ部３１から延設されており、所定部位に少なくとも一つまたは以上のパイプセクション３を凸設して３（図３Ａ）に示す、形態が一致した制限具３４がその一端に延設された当接フランジ３４１を前述背もたれ板２の空間３２に沿って取り付け（図２Ｃ）、係る当接フランジ３４１を背もたれ板基礎フレーム２が呼応して凹設する環状溝２１１に軸稈２１を切り込む（図３Ａに示す）、さらに、締付け素子３５が制限具３４所定の層に沿って貫く孔部３４２を適切に背もたれ板３が呼応したパイプセクション３３に引き込み、背もたれ板３所定セククションと、背もたれ板基礎フレーム２の上方近くの両側と確実な方位制限を維持して置く（図３に示す）。
【００１１】
前述した背もたれ板基礎フレーム２によって位置制限された背もたれ板３が所定間隔／または非所定間隔に少なくとも一つまたはそれ以上くり貫き細長い溝３６を設けて、背もたれ板３が凭れるときに、良い換気効果を達成できる（図４に示す）。
【００１２】
同時に、係る椅子５が背もたれ板基礎フレーム２に組み付けられた背もたれ板３は、使用するときに独立形態と、背もたれ板基礎フレーム２所定の両側に結合された状態で使用することができる。背もたれ板基礎フレーム２に組み付けられた背もたれ板３が凭れるときに、適切な弾性効果を有する（図５に示す）。
【符号の説明】
【００１３】
（公知技術）
１０        座面
２０        背もたれ
３０        椅子
（本願）
１          座面
２          背もたれ板基礎フレーム
２１        軸稈
２１１        環状溝
３          背もたれ板
３１        かぎ部
３１１        環状フランジ
３２        空間
３３        パイプセクション
３４        制限具
３４１        当接フランジ
３４２        孔部
３５        締付け素子
３６        くり貫き細長い溝
４          移動制限単元
５          椅子
【図１】
2017164115.tif 000003
【図２】
2017164115.tif 000004
【図２Ａ】
2017164115.tif 000005
【図２Ｂ】
2017164115.tif 000006
【図２Ｃ】
2017164115.tif 000007
【図３】
2017164115.tif 000008
【図３Ａ】
2017164115.tif 000009
【図４】
2017164115.tif 000010
【図５】
2017164115.tif 000011